(57)【要約】      （修正有）【課題】屋上等に太陽光パネル、広告設備等の設置物を設置する場合には、防水性を損なうことなく設置物を確実に設置固定することが求められる。従来からこの様な設置物の設置には樹脂製や金属製の支持架台が用いられている。しかし従来の支持架台では、設置物を取り付ける剣先ボルト部が接着剤、溶接等で垂直方向に接合されるため、剣先ボルト部に対して横からの荷重が加わった場合、取付け部分が破壊してしまうおそれがある。そこで横からの荷重が加わっても破損しない支持架台を提供する。【解決手段】下地の上に設置される設置物を固定するための設置物固定部１ｅを支持部１ｂに設けた設置物支持架台１において、その設置物固定部にはオネジ部が設けられ、このオネジ部に固定用ナット１ｄがねじ込まれている。【選択図】図１
2012092629.tif 000002
【特許請求の範囲】
【請求項１】
下地の上側に配置される台座部と、
前記台座部の下地側面と対向する上側面から前記下地側面に対し上方に設けられた支持部と、
前記支持部の上端面から上方に向けて設けられると共に前記上端面に接する部分にオネジ部及び前記オネジ部と対向する開放側端部に設置物と接続される設置物接続部が設けられた設置物固定部と、
前記設置物固定部の前記オネジ部にねじ込まれている固定用ナット部と、
を備えた前記下地の上に前記設置物を設置するための設置物支持架台。
【請求項２】
前記支持部の内側に抜け止め部をさらに備え、
前記設置物固定部は前記支持部の内側で前記抜け止め部と連結された連結部を備え前記設置物接続部と前記オネジ部と前記連結部が一軸に連結されている請求項１に記載の設置物支持架台。
【請求項３】
前記連結部はオネジが設けられ、前記抜け止め部はメネジが設けられると共に前記支持部の内側に固定され、前記連結部のオネジが前記抜け止め部のメネジにねじ込まれている請求項２に記載の設置物支持架台
【請求項４】
前記設置物固定部がボルトであって、前記抜け止め部が前記ボルトのボルト頭でありボルト軸に設けられたオネジが前記オネジ部である請求項２に記載の設置物支持架台。
【請求項５】
少なくとも前記台座部が熱可塑性樹脂層で被覆されている請求項１〜４のいずれか１項に記載の支持架台。
【請求項６】
下地の上側に敷設された防水層と、
前記防水層の上に設置される請求項５に記載の設置物支持架台と、
前記設置物支持架台の台座部の上面から防水層を貫通して下地に対してビス止めを行う支持架台固定用ビスと、
前記台座部と前記防水層を覆う共に前記台座部の熱可塑性樹脂層に溶融着される補強シートと、
を備えた前記下地の上に前記設置物を設置するための設置物支持架台の取り付け構造。
【請求項７】
下地の上側に敷設される断熱層と、
前記断熱層の上側に敷設される防水層と、
前記下地の上に設置される請求項１〜５いずれか１項に記載の設置物支持架台と、
前記設置物支持架台の台座部の上面から下地に対してビス止めを行う支持架台固定用ビスと、
を備え前記設置物支持架台の支持部が前記断熱層および前記防水層を貫通されている設置物を設置するための設置物支持架台の取り付け構造。
【発明の詳細な説明】
【技術分野】
【０００１】
本発明は屋上、ベランダ、屋根等に太陽光パネル、広告設備、フェンス等の設置物を設置するための設置物支持架台および設置物支持架台の取り付け構造に関する。
【背景技術】
【０００２】
屋上、ベランダ、屋根等には通常、防水層が設けられている。したがって、この防水層の上方に太陽光パネル、広告設備、フェンス等の設置物を設置する場合には、防水性を損なうことなく設置物を確実に設置固定することが求められる。従来からこの様な設置物の設置には樹脂製や金属製の設置物支持架台が用いられている。これらの設置物支持架台として、屋根に取り付けられる両足片とその上部で両足片を連結する上板を備え、その上板に各種設置物を取り付ける剣先ボルトが上向きに接合されているものが知られている（特許文献１）。
【先行技術文献】
【特許文献】
【０００３】
【特許文献１】特開２０１０−１９６４２２号公報
【発明の概要】
【発明が解決しようとする課題】
【０００４】
上述した従来の設置物支持架台では、剣先ボルト部が接着剤、溶接等で垂直方向に接合されるため、上板に接合してある剣先ボルト部に対して横からの荷重が加わった場合、上板とボルト部の取付け部分に荷重が集中し、取付け部分が破壊してしまうおそれがある。
【０００５】
本発明は、上記の問題点に鑑みてなされたもので、太陽光パネル等の設置物を設置するために、設置物を設置物支持架台に固定する固定部分の強度が充分であり特に横方向からの荷重に対して高い耐久性を有する設置物の設置物支持架台および設置物支持架台の取り付け構造を提供する。
【課題を解決するための手段】
【０００６】
本発明は上述した課題を達成するために以下の手段を講じた。
下地の上に設置される設置物を固定するための設置物固定部を支持部に設けた設置物支持架台において、その設置物固定部にはオネジ部が設けられ、このオネジ部に固定用ナット部がねじ込まれていることをその要旨とする。
この様に本発明は、設置物固定部に固定用ナットをねじ込むことで支持部と設置物固定部との接合部を補強するものである。
【０００７】
本発明は下地の上側に配置される台座部と、前記台座部の下地側面と対向する上側面から前記下地側面に対し上方に設けられた支持部と、前記支持部の上端面から上方に向けて設けられると共に前記上端面に接する部分にオネジ部及び前記上端面に接する部分と対向する開放側端部に設置物が接続される設置物接続部が設けられた設置物固定部と、前記設置物固定部の前記オネジ部にねじ込まれている固定用ナット部とを備えた設置物支持架台である。
【０００８】
さらに支持部の内側に抜け止め部を備え、設置物固定部は前記支持部の内側で前記抜け止め部と連結された連結部を備えることができる。そして、設置物固定部に設けられた設置物接続部とオネジ部と連結部は一軸に連結されている。また連結部が支持部の内側で抜け止め部と連結されることで設置物固定部の連結部が支持部の上端面から抜けることを防ぐことが出来る。
【０００９】
また、抜け止め部はメネジが設けられると共に前記支持部の内側に連結することができる。そして設置物固定部の連結部にはオネジが設けられ、このオネジが抜け止め部に設けたメネジにねじ込まれるものとすることができる。
一方、設置物固定部をボルトとすることもでき、抜け止め部をボルト頭とし、ボルト軸に設けられたオネジをオネジ部とすることができる。この場合には設置物固定部であるボルトのボルト軸部のオネジに固定用ナットがねじ込まれることで支持部の上端面をボルト頭と固定用ナットで挟み込んで固定することが出来る。
【００１０】
さらに設置物固定部の設置物接続部がネジ部を有するものとすることも出来る。
別の形態として、少なくとも台座部を熱可塑性樹脂組成物で被覆することができる。この構成によれば防水シートなどの防水層の上に設置物支持架台を設置し台座部と防水シートとを補強シートで覆う際に補強用シートと設置物支持架台の台座部を溶剤や熱によって溶融着することができ、設置物支持架台の設置部の防水性の向上を図ることが出来る。
【００１１】
本発明の設置物支持架台の取り付け構造の一つは、下地の上に敷設された防水層と、前記防水層の上に設置されると共に少なくとも台座部を熱可塑性樹脂層で被覆した設置物支持架台と、前記台座部と前記防水層を覆う共に前記台座部の熱可塑性樹脂層に溶融着される補強シートとを備える設置物を設置するものである。
これによると、防水層の上から設置物支持架台を下地に固定できると共に設置物支持架台の設置部における防水性を維持することが出来る。
【００１２】
また下地の上に断熱層および防水層を敷設した場合にも、下地の上に敷設される断熱層と、前記断熱層の上に敷設される防水層と、前記下地の上に設置された本発明における設置物支持架台とを備えた設置物支持架台の取り付け構造とすることができる。
これによると、支持部が防水層および断熱層を貫通することで設置物支持架台の台座部を断熱層の下であって下地の上に設置でき、設置物支持架台を下地に対して直接的に固定できる。したがって、この設置物支持架台は下地に対して安定的に固定され、さらにこれにより設置物を安定して固定することが出来る。
【発明の効果】
【００１３】
本発明によれば設置物固定部にはオネジ部が設けられ、オネジ部に固定用ナットがねじ込まれている。そのため、設置物固定部は支持部に安定的に固定され、特に横からの荷重が加わった場合でも固定用ナットにより上端面と設置物固定部の取付け部に荷重が集中するのを防ぐことができ、横方向からの荷重に対し高い強度を示す。
【図面の簡単な説明】
【００１４】
【図１】本発明の設置物支持架台の取り付け構造の実施形態を示した断面図である。
【図２】本発明の設置物支持架台の実施形態を示した斜視図である。
【図３】本発明の設置物支持架台の実施形態を示した側面図である。
【図４】本発明の設置物固定部の支持部への取付部分の実施形態を示した側面図である。
【図５】本発明の設置物支持架台の実施形態を示した部分断面図である。
【図６】本発明の設置物支持架台の実施形態を示した部分断面図である。
【図７】本発明の設置物支持架台の実施形態を示した部分断面図である。
【図８】本発明の設置物支持架台の実施形態を示した部分断面図である。
【図９】本発明の設置物支持架台の実施形態を示した部分断面図である。
【図１０】本発明の設置物支持架台の実施形態を示した部分断面図である。
【図１１】本発明の設置物支持架台の実施形態を示した部分断面図である。
【図１２】本発明の設置物固定部の実施形態を示した平面図である。
【図１３】本発明の設置物支持架台に熱可塑性樹脂被覆層を設けた実施態様を示した断面図である。
【図１４】本発明の設置物支持架台に設置物固定用のアングルを取り付けた斜視図である。
【図１５】本発明の設置物支持架台に設置物固定用のアングルを取り付けた斜視図である。
【図１６】断熱層を下地に敷設した場合の設置物支持架台の取り付け構造を示した断面図である。
【図１７】断熱層を下地に敷設した場合の設置物支持架台の取り付け構造を示した断面図である。
【図１８】押さえ用部材の実施形態を示す斜視図である
【図１９】防水覆い部の実施形態を示す斜視図である
【図２０】（２０−１）実施例に係る設置物支持架台の側面図である。（２０−２）比較例に係る設置物支持架台の側面図である。
【発明を実施するための形態】
【００１５】
本発明の設置物支持架台および設置物支持架台の取り付け構造についての実施の形態を図面に基づいて説明する。
【００１６】
まず本発明の設置物支持架台の取り付け構造の第一の実施形態について図１によりその概要を説明する。これによると図１は躯体の上に防水層を設けその上に設置物を固定するための設置物支持架台を配置した設置物支持架台の取り付け構造である。
より具体的には、コンクリート系の躯体２に防水層である熱可塑性樹脂製防水シート３を敷設後に、設置物支持架台１を支持架台固定用ビス４で熱可塑性樹脂製防水シート３を貫通して躯体２に固定した設置物支持架台１の取り付け構造である。そして、この設置物支持架台の設置物固定部１ｅを介して設置物（図示せず）が設置される。
【００１７】
図２、図３に本発明の設置物支持架台の実施形態を示す。下地の上側に設置される基盤となる台座部１ａと、台座部１ａの上端面より下地面側に対して上向きに設けられた支持部１ｂと、支持部１ｂの上端面１ｃに設置物固定部１ｅをさらに下地面側に対して上向きに設けている。そしてこの設置物固定部１ｅの上端面１ｃに接する部分にオネジ部３３が設けられ、このオネジ部３３に固定用ナット１ｄがねじ込められている。
【００１８】
そして、固定用ナット１ｄは設置物固定部の開放側端部３１からからねじ込まれ上端面１ｃと接する位置まで締め付けられていることが好ましい。このように固定用ナット１ｄが上端面１ｃと接する位置まで締め付けられていることで、特に横方向からの荷重にたして、強度が増し設置物を安定的に固定することが出来る。
【００１９】
設置物固定部の開放側端部３１には設置物を接続するための設置物接続部３２が設けられている。この設置物接続部３２は図２、図３に示すようなオネジを有するネジ部であってもよい。また、メネジを有するようなものでもよいし、フランジ状の接続部やレール状の接続部を設けることも出来る。接続部の形状によらず様々な設置物を設置できるという点からオネジを有するネジ部とすることが好ましい実施態様である。
また、設置物固定部１ｅには設置物接続部３２とオネジ部３３が設けられていればよいが、設置物接続部３２がオネジを有する場合には図３の様に設置物接続部３２とオネジ部３３がネジを設けない部分を介して連結されていてもよいし、設置物接続部３２とオネジ部３３に連続したオネジを設けてもよい。
【００２０】
ここで設置物固定部１ｅは支持部１ｂの上端面１ｃに設けられているが、図３のように設置物固定部１ｅと上端面１ｃの接する部分３５が溶接や接着などによって固定されていてもよい。より強固に固定されるという点から溶接によって上端面１ｃに固定されていることが好ましい。そして、設置物固定部１ｅの開放側端部３１からねじ込まれた固定用ナット１ｄが上端面１ｃの位置まで締め付けられて設置物固定部１ｅが支持部１ｂに強固に固定されている。
【００２１】
また別の実施形態として、図４に示したように、設置物固定部１ｅが支持部１ｂの上端面１ｃを貫通した状態で、設置物固定部１ｅの一部が支持部の内側に配置されるものとすることが出来る。これにより設置物固定部が横からの荷重に対し高い強度を示すことが出来る。
これらによると、設置物固定部１ｅは設置物接続部３２とオネジ部３３と支持部１ｂの内側に配置される連結部３４とを一軸に連結され、支持部１ｂの内側で連結部３４と連結されると共に連結部３４が支持部１ｂの上端面１ｃから抜けるのを防ぐ抜け止め部１６をさらに備えるものである。
【００２２】
ここで、連結部３４は支持部１ｂの内側において抜け止め部１６に連結されていればよい。また支持部１ｂの内側とは支持部１ｂの上端面１ｃを構成する天板部分や台座部の内側も含むものである。この様な抜け止め部１６を備える実施態様を図５〜図１１に例示し、以下、具体的に各実施態様について説明する。
【００２３】
図５によると設置物固定部１ｅがボルトである実施態様が示されている。この場合には、設置物接続部３２、オネジ部３３、連結部３４はボルト軸として１軸上に連結されている。そして、少なくとも設置物接続部３２とオネジ部３３にはオネジが設けられている。また本実施態様において抜け止め部１６はボルト頭２０であって、連結部３４と支持部１ｂの内側で連結されている。また設置物固定部１ｅは支持部１ｂの上端面１ｃを貫通した状態で連結部３４が支持部１ｂの内側に配置され、設置物固定部１ｂの開放側端部３１から固定用ナット１ｄがねじ込まれている。この様に支持部１ｂの上端面１ｃを抜け止め部１６であるボルト頭２０と固定用ナット１ｄで挟み込んで締め付けることで、設置物固定部１ｅは支持部１ｂに固定されている。
【００２４】
また、設置物固定部が長ネジボルトまたは両ネジボルト等の少なくともボルト軸の両側にネジ山を有する場合には、図６のように支持部１ｂの内側から連結部３４に抜け止め部１６として抜け止めナット２１をオネジを有する連結部３４にねじ込むことが出来る。この場合、設置物接続部３２はボルト軸のオネジを有する部分であり、またボルト軸のオネジ部３３には固定用ナット１ｄがねじ込まれている。
【００２５】
また、図７（７−１）のように設置物固定部の下側端部３５は支持部１ｂの底面１ｆに接していてもよいし、図７（７−２）のように支持部の底面１ｆが無い場合には台座部１ａに接していてもよい。このように下側端部３５が支持部１ｂの底面１ｆもしくは台座部１ａに接することで、圧縮強度が増し設置物をより安定的に固定することが出来る。
さらに下側端部３５が支持部１ｂの底面１ｆもしくは台座部１ａに接する場合に、支持部の底面１ｆまたは台座部１ａの上面にメネジ１９（図示せず）を設け下側端部３５のネジ部をねじ込むことでより強固に固定することができる。
【００２６】
他の実施態様として図８のように、メネジ１８を有する抜け止め部１６が上端面１ｃと一体化した態様とすることも出来る。設置物固定部１ｅの連結部３４にはオネジが設けられ、この連結部３４が上端面１ｃと一体化された抜け止め部１６のメネジ１８にねじ込まれて固定されている。この場合、抜け止め部１６のメネジ１８は設置物固定部１ｅがねじ込まれる前において上端面１ｃから見て露出した状態となっている。
この様なメネジ１８を有する抜け止め部１６が上端面１ｃと一体化した態様としては、上端面１ｃを構成する支持部１ｂの天板にメネジ１８を設けたものが挙げられる。
【００２７】
またその上端面１ｃと一体化した抜け止め部１６は、図８（８−１）のように設置物固定部１ｅの下側端部３５が上端面１ｃを完全には貫通しない態様とすることが出来る。また、図８（８−２）のように下側端部３５が上端面１ｃを貫通する態様であってもよく、さらに下側端部３５が支持部１ｂの底面１ｆもしくは台座部１ａに接することもできる。
この場合に、図９（９−１）、（９−２）に示した如く支持部の底面１ｆまたは台座部１ａの上面にメネジ１９を設け下側端部３５に設けられたネジ部をねじ込むことでより強固に固定することができる。
【００２８】
また図１０（１０−１）、（１０−２）のように支持部１ｂの内部に支持部１ｂに連結された状態で抜け止め部１６を設けることも出来る。そして、抜け止め部１６にメネジ１８を設ける場合には上端面１ｃにはそのメネジ１８に対応する位置に開口部が設けられる。設置物固定部１ｅの連結部３４にはオネジが設けられており、抜け止め部１６のメネジ１８に設置物固定部１ｅがねじ込まれており、オネジ部３３には固定用ナット１ｄがねじ込まれ、上端面１ｃを固定用ナット１ｄと抜け止め部１６で挟み込むことで強固に固定される。
【００２９】
図１０（１０−２）にように、抜け止め部１６は上端面１ｃと離れて設けることもできる。そして、抜け止め部１６にメネジ１８を設ける場合には上端面１ｃにはそのメネジ１８に対応する位置に開口部が設けられる。さらに設置物固定部１ｅの連結部３４にはオネジが設けられており、抜け止め部１６のメネジ１８に設置物固定部１ｅがねじ込まれており、上端面１ｃの開口部から設置物固定部１ｅの下側端部をねじ込むことで設置物固定部１ｅは支持部１ｂに固定される。
【００３０】
さらにこれらの構成を組み合わせることもでき、例えば図１１のように上端面１ｃにメネジ部を設けさらにボルト頭２０を連結することもできる。
【００３１】
また台座部１ａと支持部１ｂは一体化していればよいが、それぞれを別部材としこれを接合することで一体化する場合には、支持部１ｂに設置物固定部１ｅを固定用ナット１ｄで固定後に台座部１ａと一体化することが出来る。
【００３２】
ここで、台座部１ａは下地面等に設置される際の基礎となる接地部分である。したがって、その上に接続される支持部１ｂの径より大きい径であることが好ましい。また台座部１ｂの外形は下地面と対向する面（上面）から見て、三角形、四角形、等の多角形や円形や不定形であってもよいが、台座部にかかる荷重を分散することが出来る点から円形が好ましい。
【００３３】
さらに台座部１ａには下地に固定するための支持架台固定用ビスにより止め付けるための開口部を有することが好ましい。この開口部は複数個設置することが好ましく、２個〜８個が好ましく、４個〜６個がより好ましい。
【００３４】
特に軽量気泡コンクリート（ＡＬＣ）下地に対して、設置物支持架台を設置する場合には支持架台固定用ビス１本あたりの固定強度が充分でないために、複数の支持架台固定用ビスを設けることがより好ましく、台座部に設ける開口部を５個〜７個とすることが好ましい。
【００３５】
台座部は合成樹脂製、金属製、木製等とすることが出来るが、強度と耐久性の面から金属製が好ましく、中でも鋼材がより好ましい。また、台座部１ａの外形は５０ｍｍ〜５００ｍｍが使用でき、金属製とする場合には使用する金属板の厚さは１．０ｍｍ〜２０ｍｍが好ましく、強度とコストを考慮すると、３．０ｍｍ〜１０ｍｍがより好ましい。
【００３６】
支持部も台座部と同様に、金属製、木製等とすることが出来るが、台座部を金属製とすると溶接により一体化出来ることから金属製とすることが好ましい。また、台座部と支持部を一体に金属により成形してもよく、また、これらを合成樹脂によって一体に成形することもできる。
【００３７】
ここで台座部１ａは下地の上側に設置されるものであるが下地に直接設置されてもよいし、下地の上に防水シートや緩衝シート、断熱材、不燃ボード等を敷設した上に間接的に設置することも出来る。
【００３８】
支持部１ｂの形状は円柱状、角柱状などの柱状形であることが好ましいが、その他の形状であっても設置物を支持するために台座部に設けられたものであればよい。また、支持部は１段でもよく多段構造であってもよい。
支持部１ｂの上端面１ｃは、三角形、四角形、等の多角形や円形や不定形であってもよいが、支持部にかかる荷重を分散することが出来る点から円形が好ましい。また、支持部は台座部の上面に接続されることから、支持部の径は台座部の径と同じか小さいことが好ましい。さらに、台座部には支持架台固定用ビスを貫通させる開口部を設けることがあるのを考慮すると、支持部の径は台座部の径よりも小さいことが好ましく、台座部の径に対する支持部の径を１／４〜３／４とすることがより好ましい。
【００３９】
具体的には、支持部の径は２０ｍｍ〜４５０ｍｍが使用できる。また、厚さは１．０ｍｍ〜１０ｍｍが良く、強度とコストを考慮すると、３．０ｍｍ〜７．０ｍｍがより好ましい。
【００４０】
ここで支持部の高さは、設置物の固定位置により所望の高さとすることができる。すなわち、本発明の設置物支持架台では支持部が設置物の固定位置を調節する嵩上げ部を兼ねることができる。このように支持部が嵩上げ部を兼ねることで、設置物の高さを所望の位置とすることが出来るだけでなく、台座部は下地や躯体に対して強固に固定されるために、設置物を高い位置で固定しても設置物を安定して設置保持することが出来る。
また、設置物を固定するボルトのみを延長して高い位置で設置する場合にはボルトの耐力によって固定の安定性が左右されるが、支持部を嵩上げ部とすることで横方からの荷重に対しても強くなる。
【００４１】
したがって支持部の高さは、任意に定めることが出来るが５０ｍｍ〜３００ｍｍが好ましく、設置物の取付け作業性を考慮すると１２５ｍｍ〜２５０ｍｍがより好ましい。特に、太陽光発電用パネルを設置する場合には、パネルの設置と共に電気配線が必要となり、これらの作業を高い位置で行えると作業性が良くなるために好ましい。
【００４２】
そして支持部の上端面には設置物固定部が形成される。さらに設定物固定部は固定用ナットで支持部に固定されるため、設置物固定部を強固に固定するためには上端面は略平坦であることが好ましい。
上端面の径は設置物支持架台の径と同じであってよいが、支持部を多段構造とする場合等は上端面の径が支持部の径より小さくてもよい。また、上端面の径を支持部の径より大きくして、フランジ状とすることもできる。
ここで上端面の厚みは１．０ｍｍ〜１００ｍｍが好ましく、３．０ｍｍ〜５０ｍｍがさらに好ましい。特に、抜け止め部が上端面と一体化している場合には、上端面の厚みは厚い方が固定強度が増すために好ましく、さらに上端面にメネジを設けることができる。したがって、この場合の上端面の厚みは３０ｍｍ〜８０ｍｍが好ましく、５０ｍｍ〜７０ｍｍがさらに好ましい。
【００４３】
設置物固定部は設置物を設置物支持架台と連結するために設けられている。したがって、強度の面から径が５ｍｍ〜３０ｍｍが好ましく、１０ｍｍ〜２４ｍｍがより好ましい。
【００４４】
設置物固定部は少なくとも支持部の上端面と接する部分にオネジを部と、開放側端部に設置物を接続するための設置物接続部を有している。設置物接続部にオネジを設ける場合には、設置物固定部は少なくともボルト軸を有するものとすることが出来る。そして、設置物固定部をボルトとした場合の態様を図１２に例示した。
【００４５】
図１２（１２−１）のような、ボルト軸２１にボルト頭２０を有する場合には、このボルト頭２０を抜け止め部１６とすることが出来る。そして、ボルト軸部２１にはオネジが設けられ、開放側端部３１側が設置物接続部３２となり、ボルト頭２０側がオネジ部３３となる。ここで、ボルト頭が四角、六角、丸、ナベ、平、丸ヒラ、サラ、丸サラ等が使用でき、これら以外にもＴボルト、アイボルト、チョウボルト、フックボルト等が用いられる。
【００４６】
また、図１２（１２−２）のように、ボルト軸部２１の両端部にメネジを設けることも出来る。この場合には一端側を設置物接続部３２とし、他方をオネジ部３３とするものである。そしてオネジ部３３からさらに下側端部３５側にオネジを設けることで連結部３４においてメネジを有する抜け止め部１６と連結することが出来る。
さらに、図１２（１２−３）にようにボルト軸部２１の全長にわたりオネジを設けることも出来る。
【００４７】
固定用ナットは設置物固定部にねじ込まれるものであるから設置物固定部に対応したメネジ部を有する。また、固定用ナットをねじ込むことで設置物固定部を支持部に固定し、設置物を設置物固定部に連結した状態で安定的に設置物を保持し特に横からの荷重に対する強度が要求される。そのため固定用ナットの外形における径は大きい方が好ましく支持部の上端面の径に対する固定用ナット外形の径は１０％〜１００％好ましく、強度とコストを考慮すると２０％〜８０％がより好ましく、３０％〜６０％がさらに好ましい。また固定用ナットの厚さは前記と同様の理由により２ｍｍ〜３０ｍｍが好ましく、５ｍｍ〜１５ｍｍがより好ましい。
【００４８】
また固定用ナットの外形は、四角ナット、六角ナット、丸ナット、座付きナット、ツバ付きナット等を用いることが出来る。なかでも、外形が円柱形状である丸ナット等が好ましい。この構成によれば設置物固定部に対してあらゆる方向からの横荷重が加わった場合であっても、荷重が一点に集中せずに分散されるため設置物固定部の曲げ強度が高くなる。また、一般的な六角ナットのように角が存在しないため、仮に横方向からの荷重により設置物固定部が折れ曲がるのに伴って固定用ナットが傾倒した場合に、支持部の上端面と固定用ナットの接触部が固定用ナットの傾倒によっても傷付くおそれがない。
【００４９】
ここで固定用ナットの締め付けトルクを一定とすることで、設置物を固定するためのボルトを溶接や接着により架台に連結した場合と比較して、支持部と設置物固定部の取り付け強度のバラツキが少なくなり、設置物を固定するに際し安定した固定強度が得られる。具体的には固定用ナット１ｄの締め付けトルクとしては４０Ｎ・ｍ〜７０Ｎ・ｍが好ましい。
【００５０】
また設置物支持架台には熱可塑性樹脂層により被覆することが好ましい。少なくとも台座部を熱可塑性樹脂層で被覆することで、防水層である熱可塑性樹脂製シートの上に設置物支持架台を設置し熱可塑性樹脂シートと台座部を補強シートで防水補強する場合に、補強シートと台座部に被覆された熱可塑性樹脂層との熱溶着等の溶着、接着を行いやすくなる。
【００５１】
また、熱可塑性樹脂層で被覆することで設置物支持架台自体が腐食や劣化するのを防ぐことが出来る。したがって、設置物支持架台の全体を被覆することができ、また設置物固定部を除く台座部、支持部、固定用ナットを被覆することも出来る。さらに設置物固定部の固定用ナットとの接合部付近までを被覆することも出来る。具体的には、支持架台被覆樹脂層８は台座部から設置物固定部における固定用ナットの上部５ｍｍ〜１０ｍｍ部分までを被覆することが出来る。このように設置物固定部まで被覆し設置物を固定する位置がこの被覆した部分に当たる場合には、この被覆部を切断して取り除くことで、設置物の固定を行うことが出来る。また、熱可塑性樹脂層による被覆層の上端部を液シーラー等で端末処理することがより好ましい。
【００５２】
支持架台被覆樹脂層８の厚みは１ｍｍ〜１０ｍｍが好ましく、３ｍｍ〜７ｍｍがより好ましい。被覆する熱可塑性樹脂は、補強シート５、熱可塑性樹脂製防水シート３と溶着し易いという点から同質又は同種の組成が好ましい。さらに具体的には塩化ビニル系樹脂、オレフィン系樹脂、アクリル系樹脂が好ましく用いられる。
【００５３】
この様な支持架台被覆樹脂層は立体形状の設置物支持架台に対して被覆されるために、ディッピング加工により形成されることが好ましい。これにより設置物支持架台の形状に沿って支持架台被覆樹脂層を設けることができる。
【００５４】
本発明の設置物支持架台を用いた設置物支持架台の取り付け構造の第一実施形態である図１について、さらに詳細に説明する。
【００５５】
図１は本発明の設置物支持架台を屋上スラブ上に載置してある実施形態の一つである。コンクリート系の躯体２に防水層である熱可塑性樹脂製防水シート３を敷設後に、設置物支持架台を支持架台固定用ビス４で熱可塑性樹脂製防水シート３を貫通して躯体２に固定した設置物支持架台の取り付け構造である。
さらに図１においては補強シート５によって設置物支持架台の台座部１ａ、熱可塑性樹脂製防水シート３を加熱融着、溶剤溶着等で溶着して一体化し溶融着部端部をシール材６で封止した構造である。これにより設置物支持架台の設置部における防水性をより高めるという点から好ましい実施形態である。
【００５６】
設置物支持架台は躯体に積層された防水層の上に設置されているが、躯体は特に限定されずコンクリート下地、金属下地、軽量発泡コンクリート（ＡＬＣ）、鋼材等が用いられる。また、躯体と防水層の間に無機質板、モルタル材層等の他の層を積層しても良い。コンクリート下地や鋼材等の躯体自身に直接、設置物支持架台を設置することもできるが、既存の防水層の上から設置物を設置できるとの点からは防水層の上に設置物支持架台を設置することが好ましい。
【００５７】
防水層は熱可塑性樹脂製シートが好ましく、塩化ビニル系樹脂、ポリオレフィン系、アクリル系等を使用することができる。防水シートを熱溶融着、溶剤溶着により接合し、また補強シートで補強し得るという点から塩化ビニル系樹脂製防水シートがより好ましい。
【００５８】
熱可塑性樹脂製シートは単層でも良いが、寸法安定性、引張強度に優れるという点からガラスクロス、不織布等の基材層を積層した複層品が好ましい。基材層は最下層に設けても良いが熱可塑性樹脂層の中間に設けても良い。また熱可塑性樹脂層は一層であっても、複数の層であってもよく、それぞれの層の組成を異なるものとしてもよい。
【００５９】
設置物支持架台は熱可塑性樹脂製シートの上に配置され、設置物支持架台の台座部に設けられた開口部からドリル等によって防水層（熱可塑性樹脂製シート）および躯体（コンクリート下地）に貫通する孔を設け、その穴に支持架台固定用ビスを回し入れることで設置物支持架台が躯体に固定される。また防水層および躯体に設けられた孔には、設置物支持架台固定用ビスを固定強度を高めるために、金属系アンカー、プラスチックアンカー等を挿入することができ、さらにその上からエポキシ系、ウレタン系、ポリエステル系等の接着剤を注入し、その後に支持架台固定用ビスを挿入することが好ましい。
【００６０】
設置物支持架台の台座部の上面に露出する支持架台固定用ビス部分は液シーラーで処理を行ったり、台座部に設けた開口部の径より大きいシート状のパッチを接着等するなどの防水処理を行うことが出来る。
さらに補強シート５を使用することで、設置物支持架台が固定された部分の熱可塑性樹脂製防水シート３の防水性をより高めることができる。補強シートは台座部に設けられた支持架台固定用ビスの上面から台座部を覆うようにして台座部に溶着また接着されていてもよい。これにより台座部の上面に露出する支持架台固定用ビス部分の防水性を高めることが出来るために好ましい。さらに防水性の向上を図る目的で、補強シート５を台座部１ａと熱可塑性樹脂製防水シート３に加熱融着、溶剤溶着等で溶着することがより好ましい。
【００６１】
このように設置物支持架台の台座部と熱可塑性樹脂製防水シートを同時に覆う場合には補強シートをドーナツ形状とすることができる。すなわち、ドーナツ形状の中央開口部に支持部１ｂを通し、台座部１ａと熱可塑性樹脂製防水シート３に加熱溶着、溶剤溶着等で溶着される。中央開口部の径は支持部１ｂの径よりも２ｍｍ〜１０ｍｍ大きいことが好ましく、外形の径は台座部１ａの径よりも８０ｍｍ〜１００ｍｍ大きいものが好ましい。
ここで、ドーナツ形状とは、上記のとおり補強シートの中央部に開口部を有しその開口部に設置物支持架台の支持部を通すことが出来ればよく、その外形は円形であることを要せず四角、六角等の多角形であってもよい。また中央部に設けられた開口部も円形であることを要せず四角、六角等の多角形であってもよい。
【００６２】
補強シートの厚みは０．３ｍｍ〜３ｍｍが好ましく、０．５ｍｍ〜２ｍｍがよりこのましい。補強シート５の材質としては、支持架台被覆樹脂層８、熱可塑性樹脂製防水シート３と同質又は同種の溶着し易い樹脂が良く、塩化ビニル系樹脂、オレフィン系樹脂、アクリル系樹脂が好ましい。
【００６３】
さらに補強シート５で台座部１ａ、熱可塑性樹脂製防水シート３を溶着し、一体化した後、溶着部端部をシール材６で防水処理を行うことが防水性をより高めるために好ましい。シール材６としては支持架台被覆樹脂層８、補強シート５、熱可塑性樹脂製防水シート３と同質又は同種の樹脂からなるシール材が良い。
【００６４】
上記設置物支持架台に設置される設置物としては、太陽光パネル、広告設備、手摺、フェンス等の設置物があり、例として、太陽光パネルのアングル部分の設置に関する実施形態を図１４、図１５に示す。
【００６５】
図１４は上記設置物支持架台に太陽光パネルのアングル９が設置された実施形態である。アングル９は設置物固定部１ｅを通って、固定用ナット１ｄの直上に設置され、アングル固定用ナット１０によって挟まれて固定される。前記アングル固定用ナット１０には一般的な六角ナットを使用出来る。
また、図１５は太陽光パネルのアングル９が設置物固定部１ｅの先端部に設置された実施形態であって、アングル９は設置物固定部１ｅを通って、アングル支持用ナット１１で支持され、アングル固定用ナット１０によって挟まれて固定される。前記アングル支持用ナット１１、アングル固定用ナット１０には一般的な六角ナットが使用出来る。このように、太陽光パネルのアングル９が設置物固定部１ｅの先端部に設置される場合、設置物固定部１ｅの曲げ強度を考慮すると、アングル９の取付け位置は固定用ナット１ｄより０（直上）〜３５ｍｍ上とするのが好ましい。
【００６６】
下地の上に断熱材等による断熱層を設けその外側に防水層を設ける断熱工法においては、図１６、図１７に示したような設置物支持架台の設置構造を取ることが出来る。
【００６７】
図１６、図１７は本発明の設置物支持架台を断熱材１２が存在する場合に屋上スラブ上に載置してなる他の実施形態である。これらによると、コンクリート系の躯体２に設置物支持架台を支持架台固定用ビス４で固定後、断熱材１２、熱可塑性樹脂製防水シート３を支持部１ｂと略同径でくり抜く等して、支持部１ｂが断熱材１２、熱可塑性樹脂製防水シート３を貫通した状態で敷設される。
このような構造とすることで設置物支持架台が下地に安定的に固定された断熱工法による防水層を得ることが出来る。
【００６８】
さらに図１６においては、断熱材１２、熱可塑性樹脂製防水シート３の浮きを効率的に防止するために、台座部１ａより外側でドーナツ型の押さえ部材１３を介して断熱材１２、熱可塑性樹脂製防水シート３を押さえ用ビス１４で押さえつける。そして防水覆い部１５を支持部１ｂを通して被せ、台座部１ａ、押さえ部材１３、熱可塑性樹脂製防水シート３を加熱溶着、溶剤溶着等で溶着して一体化する。さらに、溶着部端部をシール材６で封止することができる。
【００６９】
また図１７においては、断熱材１２の上から押さえ部材１３を敷設し、断熱材１２と押さえ部材１３を覆うように熱可塑性樹脂製防水シート３を設置物支持架台の支持部１ｂを通して敷設し、熱可塑性樹脂製防水シート３の上から押さえ部材１３、断熱材１２、下地２を貫通するように押さえ用ビス１４で固定する。そして、そして防水覆い部１５を支持部１ｂを通して被せることでさらに防水性を高めることが出来る。図１７ではさらに防水覆い部１５の溶融着端部を溶着部端部をシール材６で封止している。
【００７０】
断熱材１２はポリエチレンフォーム、ポリスチレンフォーム、イソシアヌレートフォーム、フェノールフォーム等が使用され、厚みは１０ｍｍ〜２００ｍｍが好ましく用いられる。
【００７１】
押さえ部材１３を構成する材質としては金属、熱硬化性樹脂等が使用されるが、金属が使用される場合、金属表面に熱可塑性樹脂製防水シート３、防水覆い部１５と同質又は同種の熱可塑性樹脂で被覆することが好ましく、これにより熱可塑性樹脂製防水シート３、防水覆い部１５と溶着一体化することができる。
また、熱硬化性樹脂が使用される場合、熱可塑性樹脂製防水シート３、防水覆い部１５と同質又は同種の溶着し易い樹脂が好ましく、熱可塑性樹脂製防水シート３、防水覆い部１５と溶着一体化することができる。
図１７においては塩化ビニル系樹脂製防水シートが用いられているため防水覆い部１５は塩化ビニル系樹脂製であり、押さえ部材１３は塩化ビニル系樹脂で被覆されている。
【００７２】
押さえ部材１３の一例を図１８に示した。押さえ部材１３はドーナツ形状であることが好ましく、押さえ部材１３の中央部に開口部１３１を有しその開口部１３１に設置物支持架台の支持部を通すことが出来ればよく、押さえ部材１３の外形は円形であることを要せず四角、六角等の多角形であってもよい。また中央部に設けられた開口部１３１も円形であることを要せず四角、六角等の多角形であってもよい。ここで、押さえ部材１３がドーナツ形状等である場合において、中央の開口部の径は支持部１ｂの径よりも２ｍｍ〜１０ｍｍ大きいのが好ましい。
また、押さえ部材１３の外形は台座部１ａの径よりも６０ｍｍ〜１２０ｍｍ大きいのが好ましく、押さえ用ビス１４が台座部１ａよりも外側に打ち込める位置にビス穴を複数個設けてあり、厚みとしては１ｍｍ〜５ｍｍが好ましい。
【００７３】
押さえ部材はビスにより防水層（熱可塑性樹脂製防水シート）、断熱層を貫通して躯体（コンクリート下地）に固定することができる。この場合には、防水シート上の押さえ部材を配置し、押さえ部材の上面からドリル等で防水層、断熱層を貫通し、躯体に達する孔を設け、その穴に固定用のビスを回し入れることで押さえ部材が躯体に固定される。またこのようにして設けられた孔には、固定用のビスを固定強度を高めるために、金属系アンカー、プラスチックアンカー等を挿入することができ、さらにその上からエポキシ系、ウレタン系、ポリエステル系等の接着剤を注入し、その後に固定用のビスを挿入することが好ましい。
【００７４】
また、押さえ部材１３は断熱材１２、熱可塑性樹脂製防水シート３が風等で浮き上がるのを防止するものであるから、支持部の周囲を必ずしも連続で押さえるものでなくてもよい。すなわち、押さえ部材１３は支持部の周囲を押さえるように複数の部分に分割されていてもよいし、その一部に不連続な部分があっても良い。
【００７５】
防水覆い部の一例を図１９に示した。防水覆い部１５は設置物支持架台、押さえ部材１３、熱可塑性樹脂製防水シート３を溶着一体化することで防水性をより高めるためのものである。防水覆い部１５の材質としては支持架台被覆樹脂層１３、押さえ部材、熱可塑性樹脂製防水シート４と同質又は同種の溶着し易い樹脂が良く、塩化ビニル系樹脂、オレフィン系樹脂、アクリル系樹脂が好ましい。
【００７６】
ここで、防水覆い部１５は筒部１５１と鍔部１５２とからなるハット型が好ましいが、少なくとも中央部に開口部１５３を有する鍔部１５２からなる。ここで、筒部１５１と鍔部１５２からなることで、防水覆い部と支持部との防水性をより向上させることができる。
筒部１５１の内径は支持部１ｂの径とほぼ同等であるのが好ましく、高さは４０ｍｍ〜１７５ｍｍが好ましい。鍔部の径は押さえ部材の径より８０ｍｍ〜１００ｍｍ大きいのが好ましい。防水覆い部の厚みは、０．３ｍｍ〜５ｍｍが好ましく、１ｍｍ〜３ｍｍがより好ましい。
【００７７】
このように躯体の上に断熱層を設ける構造の場合に躯体の上方かつ断熱層の下に設置物支持架台を固定し断熱層、防水層を敷設することで非断熱同様の設置物支持架台の躯体（下地）への固定強度を得つつ断熱効果、防水性を得ることができる。
【００７８】
すなわち躯体上に断熱材が存在する場合、断熱材上から設置物支持架台を固定すると、設置物の重量、風による圧縮力等で経年後、設置物支持架台下の断熱材が潰され、設置物支持架台にガタツキ等の不具合が生じる場合があるが、躯体の上方かつ断熱層の下に設置物支持架台を固定することでより強固に設置物支持架台を固定することができる。
【実施例】
【００７９】
［実施例１］
本発明の設置物支持架台として、図２０（２０−１）のように設置物固定部をボルト軸とボルト頭で構成されたボルトとし、オネジを有するボルト軸に固定用ナットを上端面に接する位置までねじ込んで、設置物固定部を支持部に固定して本発明の設置物支持架台を得た。
【００８０】
［荷重試験の試験方法］
得られた設置物支持架台をインストロン社製の万能試験機に固定し設置物固定部の上端面から２．５ｃｍの位置を試験速度１０ｍｍ／ｍｉｎで横向きの荷重をかけ、試験機のヘッドが５ｍｍ変位した時の荷重（ＫＮ）を測定した。そして、この耐荷重試験での結果を表１に示した。
【００８１】
［比較例１］
図２０（２０−２）のような、設置物固定部を上端面に溶接により固定し、固定用ナットは用いない設置物支持架台を得た。そして、耐荷重試験での結果を表１に示した。
【００８２】
【表１】
2012092629.tif 000003
【００８３】
表１より実施例１の設置物支持架台は設置物固定部を溶接せずとも固定用ナット備えることで、設置物固定部を溶接で設置物固定部を固定した比較例１より約１．５倍の強度が得られた。
【産業上の利用可能性】
【００８４】
本発明によれば、設置物の設置の際、躯体に本発明の設置物支持架台を固定するだけであり、大掛かりな工事が必要なくなり、非常に簡易的で養生期間は必要なく、工期短縮が図れる。また、屋上で使用する場合、設置物支持架台自体は軽量のため、建物に与える負荷質量が少なく、耐震性の面から有利となる。防水性の面でも、設置物支持架台と防水シートを溶着して一体化しているため、非常に高い防水性能があり、設置物設置に伴う漏水事故の心配が無なくなる。
【符号の説明】
【００８５】
１        設置物支持架台
１ａ     台座部
１ｂ     支持部
１ｃ     上端面
１ｄ     固定用ナット
１ｅ     設置物固定部
２０      ボルト頭
３２      設置物接続部
３３      オネジ部
３４      連結部
２        躯体
３        熱可塑性樹脂製防水シート
４        固定用ビス
５        補強シート
６        シール材
７        固定用ビス穴
８        支持架台被覆樹脂層
９        太陽光パネルのアングル
１０        アングル固定用ナット
１１        アングル支持用ナット
１２        断熱材
１３        押さえ用部材
１４        押さえ用ビス
１５        防水覆い部
１６        抜け止め部
【図１】
2012092629.tif 000004
【図２】
2012092629.tif 000005
【図３】
2012092629.tif 000006
【図４】
2012092629.tif 000007
【図５】
2012092629.tif 000008
【図６】
2012092629.tif 000009
【図７】
2012092629.tif 000010
【図８】
2012092629.tif 000011
【図９】
2012092629.tif 000012
【図１０】
2012092629.tif 000013
【図１１】
2012092629.tif 000014
【図１２】
2012092629.tif 000015
【図１３】
2012092629.tif 000016
【図１４】
2012092629.tif 000017
【図１５】
2012092629.tif 000018
【図１６】
2012092629.tif 000019
【図１７】
2012092629.tif 000020
【図１８】
2012092629.tif 000021
【図１９】
2012092629.tif 000022
【図２０】
2012092629.tif 000023